(57)【要約】【課題】毛丈の高いタフトが歯間部に入り込んだ際の安定性を向上させて、歯間部の歯垢除去効果をより一層高めることのできる歯ブラシを提供する。【解決手段】中間部植毛領域１７ｂには、毛丈の高い複数の突出毛束１５ａが分散して植設されている。先端側植毛領域１７ａ及び後端側植毛領域１７ｃには、テーパーブリッスル１６ｂ，１６ｃを束ねてなるテーパー毛束１５ｂ，１５ｃが植設されている。先端側植毛領域１７ａに植設されたテーパー毛束１５ｂ，１５ｃのテーパーブリッスル１６ｂ，１６ｃは、突出毛束１５ａのブリッスル１６ａよりも低い毛丈で植設されており、先端を連ねて形成される仮想の先端側ブラシ面１８ａが、中間部植毛領域１７ｂ側の端縁部よりも植毛台１１の長手方向Ｘ先端側に向けて高くなっている高低差部１８ｂを有している。【選択図】図１
2019208972.tif 000002
【特許請求の範囲】
【請求項１】
複数本のブリッスルを束ねてなる毛束が、植毛台に形成された複数の植毛穴に各々植設されている歯ブラシであって、
前記植毛台は、長手方向先端側の先端側植毛領域と、長手方向後端側の後端側植毛領域と、先端側植毛領域と後端側植毛領域との間の中間部植毛領域とを備えており、
前記中間部植毛領域には、毛丈の高い複数の突出毛束が分散配置されて植設されており、
前記先端側植毛領域及び前記後端側植毛領域には、先端に向かって断面積を減少させたテーパー形状部分を備える複数本のテーパーブリッスルを束ねてなるテーパー毛束が植設されており、
前記先端側植毛領域に植設された前記テーパー毛束を形成するテーパーブリッスルは、前記突出毛束を形成するブリッスルよりも０〜２ｍｍ低い毛丈で植設されていると共に、先端を連ねて形成される仮想の先端側ブラシ面が、前記中間部植毛領域側の端縁部よりも前記植毛台の長手方向先端側が高くなっている高低差部を有しており、
前記中間部植毛領域には、前記突出毛束よりも毛丈の低い毛束が、前記突出毛束と共に植設されている歯ブラシ。
【請求項２】
前記高低差部は、前記中間部植毛領域側の端縁部から前記植毛台の長手方向先端側に向けて高くなっている傾斜面部によって形成されている請求項１記載の歯ブラシ。
【請求項３】
前記先端側植毛領域に植設された前記テーパー毛束を形成するテーパーブリッスルの方が、前記突出毛束を形成するブリッスルよりも、テーパー度が高くなっている請求項１又は２記載の歯ブラシ。
【請求項４】
前記突出毛束が植設される植毛穴は、植毛台の長手方向に隣接する突出毛束が植設される植毛穴との間に２．５〜５ｍｍの中心間間隔をおいた状態で、前記中間部植毛領域に分散配置されて形成されている請求項１〜３のいずれか１項記載の歯ブラシ。
【請求項５】
前記突出毛束を形成するブリッスルは、螺旋状にねじれた形状を備えている請求項１〜４のいずれか１項記載の歯ブラシ。
【請求項６】
前記後端側植毛領域に植設された前記テーパー毛束を形成するテーパーブリッスルは、前記突出毛束を形成するブリッスルよりも０〜２ｍｍ低い毛丈で植設されていると共に、先端を連ねて形成される仮想の後端側ブラシ面が、前記中間部植毛領域側の端縁部よりも前記植毛台の長手方向後端側が高くなっている高低差部を有している請求項１〜５のいずれか１項記載の歯ブラシ。
【請求項７】
前記後端側植毛領域に植設された前記テーパー毛束を形成するテーパーブリッスルは、前記突出毛束を形成するブリッスルよりも２ｍｍ以上低い毛丈で植設されている請求項１〜５のいずれか１項記載の歯ブラシ。
【請求項８】
前記突出毛束と共に前記中間部植毛領域に植設された、前記突出毛束よりも毛丈の低い毛束を形成するブリッスルは、前記突出毛束を形成するブリッスルよりも０〜２ｍｍ低い毛丈で植設されており、且つ先端に向かって断面積を減少させたテーパー形状部分を備えるテーパーブリッスルとなっている請求項１〜７のいずれか１項記載の歯ブラシ。
【請求項９】
前記突出毛束と共に前記中間部植毛領域に植設された、前記突出毛束よりも毛丈の低い毛束を形成するブリッスルは、前記突出毛束を形成するブリッスルよりも２ｍｍ以上低い毛丈で植設されており、且つ先端に球状部を備える球状ブリッスルとなっている請求項１〜７のいずれか１項記載の歯ブラシ。
【発明の詳細な説明】
【技術分野】
【０００１】
本発明は、歯ブラシに関し、特に、複数本のブリッスルを束ねてなる毛束が、植毛台に形成された複数の植毛穴に各々植設されている歯ブラシに関する。
【背景技術】
【０００２】
歯ブラシは、複数本のブリッスルを束ねてなるタフト（毛束）を、例えば植毛台の植毛面に形成された複数の植毛穴に、平線を打ち込む方法や熱で融着させる方法等によって植設固定することにより形成される。また、歯ブラシは、前歯、奥歯等の歯の種類や、歯間部、歯面部、歯頸部、歯裏部等の歯の部位に応じた適切な刷掃を効率良く行って、歯垢等を効果的に除去できるように、また刷掃時に良好な感触が得られるように、毛束の配置やブリッスルの毛先の形状等に様々な工夫がなされている。
【０００３】
例えば歯間部にタフトを入り込み易くして、歯間部の刷掃を効率良く行えるようにする歯ブラシとして、植毛台の最も外側に植設された両側の最外側列のタフトの内側領域に、最外側列のタフトよりも毛丈の高いタフトの列を設けた歯ブラシが開示されている（例えば、特許文献１参照）。また、毛丈の高い突出毛束を複数列植設することによって、歯間部の歯垢除去効果を高めた歯ブラシも開示されている（例えば、特許文献２参照）。
【先行技術文献】
【特許文献】
【０００４】
【特許文献１】特開２００１−３０９８１９号公報
【特許文献２】特開２００６−１６７４３５号公報
【発明の概要】
【発明が解決しようとする課題】
【０００５】
上記従来の毛丈の高いタフトの列を植設した歯ブラシによれば、毛丈の高いタフトを歯間部に入り込み易くして、歯間部の刷掃を効率良く行えるようにすることが可能になるが、歯間部の歯垢除去効果をより一層高めるためには、毛丈の高いタフトが歯間部に入り込んだ際の、安定性を向上させることが望ましい。
【０００６】
本発明は、毛丈の高いタフトが歯間部に入り込んだ際の安定性を向上させて、歯間部の歯垢除去効果をより一層高めることのできる歯ブラシに関する。
【課題を解決するための手段】
【０００７】
本発明は、複数本のブリッスルを束ねてなる毛束が、植毛台に形成された複数の植毛穴に各々植設されている歯ブラシであって、前記植毛台は、長手方向先端側の先端側植毛領域と、長手方向後端側の後端側植毛領域と、先端側植毛領域と後端側植毛領域との間の中間部植毛領域とを備えており、前記中間部植毛領域には、毛丈の高い複数の突出毛束が分散配置されて植設されており、前記先端側植毛領域及び前記後端側植毛領域には、先端に向かって断面積を減少させたテーパー形状部分を備える複数本のテーパーブリッスルを束ねてなるテーパー毛束が植設されており、前記先端側植毛領域に植設された前記テーパー毛束を形成するテーパーブリッスルは、前記突出毛束を形成するブリッスルよりも０〜２ｍｍ低い毛丈で植設されていると共に、先端を連ねて形成される仮想の先端側ブラシ面が、前記中間部植毛領域側の端縁部よりも前記植毛台の長手方向先端側が高くなっている高低差部を有しており、前記中間部植毛領域には、前記突出毛束よりも毛丈の低い毛束が、前記突出毛束と共に植設されている歯ブラシである。
【発明の効果】
【０００８】
本発明の歯ブラシによれば、毛丈の高いタフトが歯間部に入り込んだ際の安定性を向上させて、歯間部の歯垢除去効果をより一層高めることができる。
【図面の簡単な説明】
【０００９】
【図１】本発明の好ましい一実施形態に係る歯ブラシの要部の構成を説明する、（ａ）は側面図、（ｂ）は平面図である。
【図２】螺旋状にねじれた形状のブリッスルを説明する略示側面図である。
【図３】他の実施形態に係る歯ブラシの要部の構成を説明する側面図である。
【発明を実施するための形態】
【００１０】
本発明の好ましい一実施形態に係る歯ブラシ１０は、図１（ａ）、（ｂ）に示すように、把持部（図示せず）と植毛台１１とこれらを連結する首部１２とからなる歯ブラシ本体１３の植毛台１１に形成された複数の植毛穴１４ａ，１４ｂ，１４ｂ’，１４ｃ，１４ｃ’，１４ｄ（図１（ｂ）参照）に、複数本のブリッスル１６ａ，１６ｂ，１６ｃ，１６ｄを束ねてなる毛束（タフト）１５ａ，１５ｂ，１５ｃ，１５ｄ（図１（ａ）参照）を、各々植設（植毛）することによって構成される。本実施形態の歯ブラシ１０は、毛丈の高いタフトである中間部植毛領域１７ｂに植設された複数の突出毛束１５ａが、刷掃時に歯間部に入り込んだ際の安定性を向上させて、歯間部の歯垢除去効果をより一層高めることができるようにする機能を備えている。
【００１１】
そして、本実施形態の歯ブラシ１０は、複数本のブリッスル１６ａ，１６ｂ，１６ｃ，１６ｄを束ねてなる毛束１５ａ，１５ｂ，１５ｃ，１５ｄが、植毛台１１に形成された複数の植毛穴１４ａ，１４ｂ，１４ｂ’，１４ｃ，１４ｃ’，１４ｄに各々植設されている歯ブラシであって、植毛台１１は、長手方向Ｘ先端側の先端側植毛領域１７ａと、長手方向Ｘ後端側の後端側植毛領域１７ｃと、先端側植毛領域１７ａと後端側植毛領域１７ｃとの間の中間部植毛領域１７ｂとを備えている。中間部植毛領域１７ｂには、毛丈の高い複数の突出毛束１５ａが分散配置されて植設されている。先端側植毛領域１７ａ及び後端側植毛領域１７ｃには、先端に向かって断面積を減少させたテーパー形状部分を備える複数本のテーパーブリッスル１６ｂ，１６ｃを束ねてなるテーパー毛束１５ｂ，１５ｃが植設されている。先端側植毛領域１７ａに植設されたテーパー毛束１５ｂ，１５ｃを形成するテーパーブリッスル１６ｂ，１６ｃは、突出毛束１５ａを形成するブリッスル１６ａよりも０〜２ｍｍ低い毛丈で植設されていると共に、先端を連ねて形成される仮想の先端側ブラシ面１８ａが、中間部植毛領域１７ｂ側の端縁部よりも植毛台１１の長手方向Ｘ先端側に向けて高くなっている高低差部１８ｂを有している。中間部植毛領域１７ｂには、突出毛束１５ａよりも毛丈の低い中間部補助毛束１５ｄが、突出毛束１５ａと共に植設されている。
【００１２】
また、本実施形態では、先端側植毛領域１７ａに植設されたテーパー毛束１５ｂ，１５ｃを形成するテーパーブリッスル１６ｂ，１６ｃの方が、突出毛束１５ａを形成するブリッスル１６ａよりも、テーパー度が高くなっている。ここで、テーパーブリッスルのテーパー度は、テーパー部分の長さ、すなわち、テーパーの終端からテーパーの開始位置までの長さによって特定される値である。テーパーの開始位置とは、ブリッスルの直径が非テーパー部に対して９５％になった位置である。
【００１３】
本実施形態では、歯ブラシ本体１３は、一般的に使用されている合成樹脂を、特に制限無く用いて形成することができる。例えば、ポリプロピレン、ポリアセタール樹脂、ポリスチレン樹脂、ポリエチレンテレフタレート樹脂、アクリロニトリルブタジエンスチレン樹脂、セルロースプロピオネート樹脂、ポリアリレート樹脂、ポリカーボネート樹脂、アクリロニトリルスチレン樹脂、ポリエステル、ポリトリメチレンテレフタレート、ポリシクロヘキサンジメチレンテレフタレートから選ばれる一種又は二種以上の樹脂を用いることが好ましい。歯ブラシ本体１３の先端部分を構成する植毛台１１は、好ましくは平坦なトラック円形状の植毛面１１ａを備えており、植毛面１１ａに開口して、毛束１５ａ，１５ｂ，１５ｃ，１５ｄが植設される複数の植毛穴１４ａ，１４ｂ，１４ｂ’，１４ｃ，１４ｃ’，１４ｄが形成されている。
【００１４】
本実施形態では、植毛台１１のトラック円形状の植毛面１１ａの中間部植毛領域１７ｂには、植毛台１１の長手方向Ｘに２列に連設して、例えばφ１．０ｍｍの大きさの円形の中間部小径植毛穴１４ａが、各列に４箇所ずつ、合計８箇所に分散配置されて形成されている。またこれらの中間部小径植毛穴１４ａは、植毛台１１の長手方向Ｘに隣接する中間部小径植毛穴１４ａとの間に２．５〜５ｍｍの中心間間隔をおいた状態で、中間部植毛領域１７ｂに分散配置されて形成されている。これによって、これらの中間部小径植毛穴１４ａに植毛される突出毛束１５ａが、刷掃時に１箇所に集中し難くなることで、個々の突出毛束１５ａが歯間部に入りやすくなって、歯間部の歯垢除去効果を向上させることが可能になる。
【００１５】
また、植毛台１１の植毛面１１ａの中間部植毛領域１７ｂには、２列の中間部小径植毛穴１４ａを挟んだ植毛台１１の幅方向Ｙ両側の外側部分、及び２列の中間部小径植毛穴１４ａの間の部分に、３列に配置されて、例えばφ１．６ｍｍの大きさの円形の中間部植毛穴１４ｄが、植毛台１１の長手方向Ｘに連設して各列に３箇所ずつ、合計９箇所に分散配置されて形成されている。各列に連設して配置された中間部植毛穴１４ｄは、中間部小径植毛穴１４ａと千鳥状に配置されるように、中間部小径植毛穴１４ａと植毛台１１の長手方向Ｘの位置をずらせて形成されている。
【００１６】
植毛台１１の植毛面１１ａの先端側植毛領域１７ａには、植毛台１１の長手方向Ｘの外側（先端側）に、例えばφ１．６ｍｍの大きさの円形の先端部外側植毛穴１４ｂが、３箇所に配置されて形成されている。３箇所の先端部外側植毛穴１４ｂは、中央の先端部外側植毛穴１４ｂが、両側の先端部外側植毛穴１４ｂよりも先端側にずれるように配置されて形成されている。また先端側植毛領域１７ａには、植毛台１１の長手方向Ｘの内側（中間部植毛領域１７ｂ側）に、例えばφ１．６ｍｍの大きさの円形の先端部内側植毛穴１４ｃが３箇所に形成されている。３箇所の先端部内側植毛穴１４ｃは、先端部外側植毛穴１４ｂと同様に、中央の先端部内側植毛穴１４ｃが、両側の先端部内側植毛穴１４ｃよりも先端側にずれるように配置されて形成されている。
【００１７】
植毛台１１の植毛面１１ａの後端側植毛領域１７ｃには、植毛台１１の長手方向Ｘの外側（後端側）に、例えばφ１．６ｍｍの大きさの円形の後端部外側植毛穴１４ｂ’が、３箇所に配置されて形成されている。３箇所の後端部外側植毛穴１４ｂ’は、中央の後端部外側植毛穴１４ｂ’が、両側の後端部外側植毛穴１４ｂ’よりも後端側にずれるように配置されて形成されている。また後端側植毛領域１７ｃには、植毛台１１の長手方向Ｘの内側（中間部植毛領域１７ｂ側）に、例えばφ１．６ｍｍの大きさの円形の後端部内側植毛穴１４ｃ’が３箇所に形成されている。３箇所の後端部内側植毛穴１４ｃ’は、植毛台１１の幅方向Ｙに直線状に並べて配置されて形成されている。
【００１８】
本実施形態では、これらの植毛穴１４ａ，１４ｂ，１４ｂ’，１４ｃ，１４ｃ’，１４ｄには、各々の植毛穴１４ａ，１４ｂ，１４ｂ’，１４ｃ，１４ｃ’，１４ｄの横断面積に応じた本数のブリッスル１６ａ，１６ｂ，１６ｃ，１６ｄを束ねてなる毛束１５ａ，１５ｂ，１５ｃ，１５ｄが、各々挿入固定されて植設されている。各々の毛束１５ａ，１５ｂ，１５ｃ，１５ｄを構成するブリッスル１６ａ，１６ｂ，１６ｃ，１６ｄは、好ましくは合成樹脂からなる。ブリッスル１６ａ，１６ｂ，１６ｃ，１６ｄを形成する合成樹脂としては、ブリッスルに用いられている公知の各種のものを、特に制限なく用いることができ、例えば、ナイロン（登録商標）、ナイロン６−１２等のポリアミド、ポリブチレンテレフタレート等のポリエステル、ポリオレフィン等が挙げられる。
【００１９】
各々の植毛穴１４ａ，１４ｂ，１４ｂ’，１４ｃ，１４ｃ’，１４ｄに毛束１５ａ，１５ｂ，１５ｃ，１５ｄを植設する方法としては、公知の各種の植毛方法を採用することができる。例えば、（１）毛束を平線で２つ折りにして打ち込む方法や、（２）毛束の片端部を加熱して溶融塊を形成した後、その溶融塊を配置した金型内に溶融樹脂を注入して植毛台を射出形成する方法、（３）植毛孔（貫通孔）を有する植毛基部の該植毛孔に毛束を挿入する挿入工程、該植毛孔から突出する毛束の片端部を加熱して溶融塊を形成する熱加工工程、及び該溶融塊を被覆する被覆工程を経て、毛束が植設された状態の植毛台や歯ブラシを得る方法等を用いることができる。
【００２０】
毛束１５ａ，１５ｂ，１５ｃ，１５ｄの植毛穴１４ａ，１４ｂ，１４ｂ’，１４ｃ，１４ｃ’，１４ｄへの充填率（ブリッスルの横断面積の合計／植毛穴の横断面積）は、６０〜９０％となっていることが好ましく、６５〜９０％となっていることがさらに好ましい。
【００２１】
そして、本実施形態では、中間部植毛領域１７ｂに分散配置されて形成された８箇所の中間部小径植毛穴１４ａには、例えばポリブチレンテレフタレートからなる、毛径が０．２０３ｍｍの太さの１２本のブリッスル１６ａを束ねて形成される突出毛束１５ａが、例えば１２．５ｍｍの毛丈となるように各々植設されている。これによって突出毛束１５ａは、他の毛束１５ｂ，１５ｃ，１５ｄよりも先端を上方に突出させて植設されることになる。
【００２２】
また、本実施形態では、突出毛束１５ａを形成するブリッスル１６ａは、図２に示すように、好ましくは螺旋状にねじれた形状を備えるスパイラル毛となっており、好ましくは、先端に向かって断面積を減少させた、テーパー毛束１５ｂ，１５ｃのテーパーブリッスル１６ｂ，１６ｃよりもテーパー度が低いテーパー形状部分を備える、テーパーブリッスルとなっている。突出毛束１５ａを形成するブリッスル１６ａがスパイラル毛となっていることにより、歯間部に詰まった食べかすや汚れ等を、効率良く絡め取ることが可能になる。突出毛束１５ａを形成するブリッスル１６ａが、テーパー毛束１５ｂ，１５ｃのテーパーブリッスル１６ｂ，１６ｃよりもテーパー度が低いテーパー形状部分を備えていることにより、突出毛束１５ａを形成するブリッスル１６ａが歯間部により深く到達しやすくなって、歯間部に詰まった食べかすや汚れ等を効率良く押し出すことが可能になる。
【００２３】
本実施形態では、図１（ａ）、（ｂ）に示すように、先端側植毛領域１７ａの先端側に配置されて形成された３箇所の先端部外側植毛穴１４ｂには、例えばポリブチレンテレフタレートからなる、毛径が０．１７８ｍｍの太さの５６本のテーパーブリッスル１６ｂを束ねて形成されるテーパー毛束１５ｂが、例えば１１．５ｍｍの毛丈となるように各々植設されている。先端側植毛領域１７ａの中間部植毛領域１７ｂ側に配置されて形成された３箇所の先端部内側植毛穴１４ｃには、例えばポリブチレンテレフタレートからなる、毛径が０．１７８ｍｍの太さの５６本のテーパーブリッスル１６ｃを束ねて形成されるテーパー毛束１５ｃが、例えば１０．５ｍｍの毛丈となるように各々植設されている。
【００２４】
これらによって、先端側植毛領域１７ａに植設されたテーパー毛束１５ｂ，１５ｃを形成するテーパーブリッスル１６ｂ，１６ｃは、突出毛束１５ａを形成するブリッスル１６ａよりも０〜２ｍｍ低い毛丈で植設されることになる。また、テーパー毛束１５ｂ，１５ｃを形成するテーパーブリッスル１６ｂ，１６ｃの先端を連ねて形成される仮想の先端側ブラシ面１８ａが、中間部植毛領域１７ｂ側の端縁部よりも植毛台１１の長手方向Ｘ先端側が高くなっている、高低差部１８ｂを有することになる。
【００２５】
本実施形態では、後端側植毛領域１７ｃの後端側に配置されて形成された３箇所の後端部外側植毛穴１４ｂ’には、例えばポリブチレンテレフタレートからなる、毛径が０．１７８ｍｍの太さの５６本のテーパーブリッスル１６ｂを束ねて形成されるテーパー毛束１５ｂが、好ましくは１１．５ｍｍの毛丈となるように各々植設されている。後端側植毛領域１７ｃの中間部植毛領域１７ｂ側に配置されて形成された３箇所の後端部内側植毛穴１４ｃ’には、例えばポリブチレンテレフタレートからなる、毛径が０．１７８ｍｍの太さの５６本のテーパーブリッスル１６ｃを束ねて形成されるテーパー毛束１５ｃが、例えば１０．５ｍｍの毛丈となるように各々植設されている。
【００２６】
これらによって、後端側植毛領域１７ｃに植設されたテーパー毛束１５ｂ，１５ｃを形成するテーパーブリッスル１６ｂ，１６ｃは、突出毛束１５ａを形成するブリッスル１６ａよりも０〜２ｍｍ低い毛丈で植設されることになる。また、テーパー毛束１５ｂ，１５ｃを形成するテーパーブリッスル１６ｂ，１６ｃの先端を連ねて形成される仮想の後端側ブラシ面１８ａ’は、中間部植毛領域１７ｂ側の端縁部よりも植毛台１１の長手方向Ｘ後端側が高くなっている、高低差部１８ｂ’を有することになる。
【００２７】
本実施形態では、中間部植毛領域１７ｂに分散配置されて形成された９箇所の中間部植毛穴１４ｄには、例えばナイロンからなる、毛径が０．２０３ｍｍの太さの４４本のブリッスル１６ｄを束ねて形成される中間部補助毛束１５ｄが、例えば９．５ｍｍの毛丈となるように各々植設されている。これによって、突出毛束１５ａと共に中間部植毛領域１７ｂの中間部植毛穴１４ｄに植設された中間部補助毛束１５ｄは、突出毛束１５ａよりも毛丈の低い毛束になると共に、中間部補助毛束１５ｄを形成するブリッスル１６ｄは、突出毛束１５ａを形成するブリッスル１６ａよりも２ｍｍ以上低い毛丈で植設さることになる。中間部補助毛束１５ｄを形成するブリッスル１６ｄは、好ましくは先端に球状部を備える球状ブリッスルとなっている。
【００２８】
突出毛束１５ａよりも毛丈の低い中間部補助毛束１５ｄを形成するブリッスル１６ｄが、突出毛束１５ａを形成するブリッスル１６ａよりも２ｍｍ以上低い毛丈で植設されており、且つ先端に球状部を備える球状ブリッスルとなっていることにより、突出毛束１５ａを形成するブリッスル１６ａを歯間部により深く到達しやすくすることが可能になると共に、中間部補助毛束１５ｄを形成するブリッスル１６ｄが、先端の球状部によって、歯の平滑部の歯垢を効率良く掻き取ることが可能になる。
【００２９】
また、突出毛束１５ａよりも毛丈の低い中間部補助毛束１５ｄを形成するブリッスル１６ｄは、突出毛束１５ａを形成するブリッスル１６ａよりも０〜２ｍｍ低い毛丈で植設することもできる。この場合、中間部補助毛束１５ｄを形成するブリッスル１６ｄは、先端に向かって断面積を減少させたテーパー形状部分を備えるテーパーブリッスルであることが好ましい。これによって、突出毛束１５ａを形成するブリッスル１６ａが、中間部補助毛束１５ｄを形成するブリッスル１６ｄに邪魔されることなく、歯間部により深く到達すること可能になる。
【００３０】
上述の構成を備える本実施形態の歯ブラシ１０によれば、中間部植毛領域１７ｂに、毛丈の高い突出毛束１５ａが分散配置されて植設されており、先端側植毛領域１７ａ及び後端側植毛領域１７ｃに、テーパー毛束１５ｂ，１５ｃが植設されており、先端側植毛領域１７ａのテーパー毛束１５ｂ，１５ｃを形成するテーパーブリッスル１６ｂ，１６ｃは、突出毛束１５ａを形成するブリッスル１６ａよりも０〜２ｍｍ低い毛丈で植設されていると共に、先端を連ねて形成される仮想の先端側ブラシ面１８ａが、中間部植毛領域１７ｂ側の端縁部よりも植毛台１１の長手方向Ｘ先端側に向けて高くなっている高低差部１８ｂを有している。また好ましくは、後端側植毛領域１７ｃのテーパー毛束１５ｂ，１５ｃを形成するテーパーブリッスル１６ｂ，１６ｃもまた、突出毛束１５ａを形成するブリッスルよりも０〜２ｍｍ低い毛丈で植設されていると共に、先端を連ねて形成される仮想の後端側ブラシ面１８ａ’が、中間部植毛領域１７ｂ側の端縁部よりも植毛台１１の長手方向Ｘ後端側が高くなっている高低差部１８ｂ’を有している。
【００３１】
これらによって、本実施形態の歯ブラシ１０によれば、図１（ａ）の点線で示すように、突出毛束１５ａを除いたベースとなるブラシ面が、曲線状に連設する歯列の曲面にフィットし易い凹形状を備えることになるので、中間部植毛領域１７ｂを挟んだ先端側植毛領域１７ａ及び後端側植毛領域１７ｃのテーパー毛束１５ｂ，１５ｃのテーパーブリッスル１６ｂ，１６ｃの先端を、歯面に当接させて支持させ易くすることが可能になる。これによって、テーパーブリッスル１６ｂ，１６ｃの先端を歯面に当接させて支持させながら、中間部植毛領域１７ｂの突出毛束１５ａを歯間部に挿入させて、より安定した状態で、効果的に歯間部を刷掃することが可能になると共に、テーパーブリッスル１６ｂ，１６ｃの先端を歯面に当接させることで、テーパー形状部分によって適度な弾性を保持しながら支持させることができるので、歯間部のより深い位置まで、安定した状態で突出毛束１５ａを挿入させて刷掃することが可能になる。
【００３２】
したがって、本実施形態の歯ブラシ１０によれば、毛丈の高いタフトである突出毛束１５ａが、歯間部に入り込んだ際の安定性を向上させて、歯間部の歯垢除去効果をより一層高めることが可能になる。
【００３３】
図３は本発明の好ましい他の実施形態に係る歯ブラシ２０の要部を示すものである。図３に示す他の実施形態の歯ブラシ２０は、上記実施形態の歯ブラシ１０と略同様の構成を備えており、後端側植毛領域１７ｃの後端側に配置されて形成された３箇所の後端部外側植毛穴１４ｂ’に植設されるテーパー毛束２５ｂの毛丈が、上記実施形態のテーパー毛束１５ｂの毛丈と相違している。なお、図３に示す歯ブラシ２０に関して、上記実施形態の歯ブラシ１０と異なる構成部分について主として説明し、同様の構成部分については同一の符号を付して説明を省略している。特に言及しない構成部分については、上記実施形態の歯ブラシ１０に関する説明が適宜適用される。
【００３４】
図３に示す他の実施形態の歯ブラシ２０では、後端側植毛領域１７ｃの後端側に配置された３箇所の後端部外側植毛穴１４ｂ’に植設されるテーパー毛束２５ｂが、後端側植毛領域１７ｃの中間部植毛領域１７ｂ側に配置された３箇所の後端部内側植毛穴１４ｃ’に植設されたテーパー毛束１５ｃと同様の、１０．５ｍｍの毛丈となるように植設されている。これによって、後端側植毛領域１７ｃに植設されたテーパー毛束１５ｂ，２５ｂを形成するテーパーブリッスル１６ｂ，２６ｂは、先端を連ねて形成される仮想の後端側ブラシ面２８ａが、高低差部を有していない面となっている。
【００３５】
図３に示す他の実施形態の歯ブラシ２０によれば、図３の点線で示すように、突出毛束１５ａを除いたベースとなるブラシ面が、後端側植毛領域１７ｃ側の部分で平坦になっているが、先端側植毛領域１７ａ側の部分では、曲線状に連設する歯列の曲面にフィットし易い凹形状を備えることになるので、少なくとも先端側植毛領域１７ａのテーパー毛束１５ｂ，１５ｃのテーパーブリッスル１６ｂ，１６ｃの先端を、歯面に当接させて支持させ易くすることが可能になる。これによって、上記実施形態の歯ブラシ１０と同様に、テーパーブリッスル１６ｂ，１６ｃの先端を歯面に当接させて支持させながら、中間部植毛領域１７ｂの突出毛束１５ａを歯間部に挿入させることで、上記実施形態の歯ブラシ１０と同様の作用効果が奏される。
【００３６】
なお、本発明は上記各実施形態に限定されることなく種々の変更が可能である。例えば、先端側ブラシ面や後端側ブラシ面の高低差部は、先端部外側植毛穴や後端部外側植毛穴に植設されるテーパー毛束を、先端部内側植毛穴や後端部内側植毛穴に植設されるテーパー毛束よりも高い毛丈で植設して、これらの段差部によって設ける必要は必ずしもなく、好ましくは、中間部植毛領域側の端縁部から植毛台の長手方向先端側や長手方向後端側に向けて徐々に高くなっている、傾斜面部によって形成されていても良い。これによって、曲線状に連設する歯列の曲面によりフィットし易くして、突出毛束が歯間部に入り込んだ際の安定性を、さらに向上させることが可能になる。
【００３７】
また、後端部外側植毛穴に植設されるテーパー毛束は、後端部内側植毛穴に植設されるテーパー毛束よりも、低い毛丈で植設されていても良い。後端側植毛領域に植設されたテーパー毛束を形成するテーパーブリッスルは、突出毛束を形成するブリッスルよりも２ｍｍ以上低い毛丈で植設されていても良い。突出毛束を形成するブリッスルは、先端に向かって断面積を減少させたテーパー形状部分を備えるテーパーブリッスルとなっている必要は必ずしも無く、また螺旋状にねじれた形状を備えている必要は必ずしも無い。突出毛束以外の毛束を形成するブリッスルを、螺旋状にねじれた形状を備えるように形成することもできる。各々の毛束は、例えば植毛台の長手方向の前方側又は後方側に傾けた状態で植設することもできる。
【符号の説明】
【００３８】
１０，２０  歯ブラシ
１１  植毛台
１１ａ  植毛面
１２  首部
１３  歯ブラシ本体
１４ａ  中間部小径植毛穴
１４ｂ  先端部外側植毛穴
１４ｂ’後端部外側植毛穴
１４ｃ  先端部内側植毛穴
１４ｃ’後端部内側植毛穴
１４ｄ  中間部植毛穴
１５ａ  突出毛束
１５ｂ，１５ｃ，２５ｂ  テーパー毛束
１５ｄ  中間部補助毛束
１６ａ  ブリッスル（スパイラル毛）
１６ｂ，１６ｃ，２６ｂ  テーパーブリッスル
１６ｄ  ブリッスル（球状ブリッスル）
１７ａ  先端側植毛領域
１７ｂ  中間部植毛領域
１７ｃ  後端側植毛領域
１８ａ  仮想の先端側ブラシ面
１８ａ’，２８ａ  仮想の後端側ブラシ面
１８ｂ，１８ｂ’ 高低差部
Ｘ    植毛台の長手方向
Ｙ    植毛台の幅方向
【図１】
2019208972.tif 000003
【図２】
2019208972.tif 000004
【図３】
2019208972.tif 000005